(57)【要約】【課題】奥行きサイズを小さくすることが可能な電子鍵盤楽器、及び電子鍵盤装置を提供する。【解決手段】電子鍵盤楽器は、パネルを支持する少なくとも一つのパネル支持部材を含み、少なくとも一つのパネル支持部材は、前記シャーシの上面に形成された空間に設けられており、空間は、複数の黒鍵の後端が複数の白鍵の後端よりも後方に位置するように複数の鍵を配列することによって、隣り合う二つの黒鍵間に挟まれた白鍵の後端の後方に生じた空間である。【選択図】図２
2020060604.tif 000002
【特許請求の範囲】
【請求項１】
前端と後端とをそれぞれ有する、複数の白鍵と複数の黒鍵とを含んで配列された複数の鍵と、
前記複数の鍵の下方に配置されると共に前記複数の鍵を回動可能に支持するシャーシと、
前記複数の鍵の後端部分の上方に配置されるパネルと、
前記パネルを支持する少なくとも一つのパネル支持部材と、を含み、
前記少なくとも一つのパネル支持部材は、前記シャーシの上面に形成された空間に設けられており、
前記空間は、前記複数の黒鍵の後端が前記複数の白鍵の後端よりも後方に位置するように前記複数の鍵を配列することによって、隣り合う二つの黒鍵間に挟まれた白鍵の後端の後方に生じた空間である、
電子鍵盤楽器。
【請求項２】
前記パネル支持部材は、前記空間に形成された取付部を用いて前記シャーシの上面に取り付けられている、
請求項１に記載の電子鍵盤楽器。
【請求項３】
前記パネル支持部材は、前記シャーシと一体に成形されて前記空間に設けられている、請求項１又は２に記載の電子鍵盤楽器。
【請求項４】
前記複数の黒鍵の回動軸が前記複数の白鍵の回動軸よりも後方に位置するように前記複数の鍵が配列されている、
請求項１から３の何れか一項に記載の電子鍵盤楽器。
【請求項５】
前端と後端とをそれぞれ備える、複数の白鍵と複数の黒鍵とを含んで配列した複数の鍵と、
前記複数の鍵の下方に配置されると共に前記複数の鍵を回動可能に支持するシャーシと、
前記シャーシの上面に形成され、前記複数の鍵の後端を覆うパネルを支持する少なくとも一つのパネル支持部材を配置する少なくとも一つの空間と、を含み、
前記少なくとも一つの空間は、前記複数の黒鍵の後端が前記複数の白鍵の後端よりも後方に位置するように前記複数の鍵を配列することによって、隣り合う二つの黒鍵間に挟まれた白鍵の後端の後方に生じた空間である、
電子鍵盤装置。
【発明の詳細な説明】
【技術分野】
【０００１】
本発明は、電子鍵盤楽器、及び電子鍵盤装置に関する。
【背景技術】
【０００２】
近年、アコースティックピアノの音色、操作性及び外観などを疑似的に再現した電子ピアノ等の電子鍵盤楽器が広く普及している。この種の電子鍵盤楽器に使用される鍵盤装置として、鍵の上方に配置されて鍵の後端側を上方から覆うパネルを、シャーシ上壁から鍵を挿通してパネル側に延びる後方ガイドによって支持する鍵盤楽器がある（例えば、特許文献１）。このような鍵盤装置によると、鍵のがたつきを抑制する機能とパネルを支持する機能とを後方ガイドに付与することができる。
【先行技術文献】
【特許文献】
【０００３】
【特許文献１】特開２０１６−１８０５５号公報
【発明の概要】
【発明が解決しようとする課題】
【０００４】
ところで、従来の電子鍵盤楽器では、パネルを支持するためのパネル支持部材をシャーシの後方に配置する構成が広く採用されている。このような構成とした場合、シャーシの後方にパネル支持部材を取り付けるためのスペースが必要となり、電子鍵盤楽器の奥行きサイズの大型化を招く虞があった。
【０００５】
本発明は、上述の問題に鑑みてなされたものであり、奥行きサイズを小さくすることが可能な電子鍵盤楽器、及び電子鍵盤装置を提供することを目的とする。
【課題を解決するための手段】
【０００６】
上記課題を解決するために、本発明は、以下の手段を採用した。即ち、本発明の第１の態様は、電子鍵盤楽器である。この電子鍵盤楽器は、前端と後端とをそれぞれ有する、複数の白鍵と複数の黒鍵とを含んで配列された複数の鍵と、前記複数の鍵の下方に配置されると共に前記複数の鍵を回動可能に支持するシャーシと、前記複数の鍵の後端部分の上方に配置されるパネルと、前記パネルを支持する少なくとも一つのパネル支持部材と、を含み、前記少なくとも一つのパネル支持部材は、前記シャーシの上面に形成された空間に設けられており、前記空間は、前記複数の黒鍵の後端が前記複数の白鍵の後端よりも後方に位置するように前記複数の鍵を配列することによって、隣り合う二つの黒鍵間に挟まれた白鍵の後端の後方に生じた空間であることを特徴とする。
【０００７】
本発明に係る電子鍵盤楽器によると、パネルを支持するためのパネル支持部材をシャーシの上面に設けることができる。したがって、パネル支持部材をシャーシの後方に配置することを回避できるので、電子鍵盤楽器の奥行きサイズを小さくすることができる。
【０００８】
本発明に係る電子鍵盤楽器において、前記パネル支持部材は、前記空間に形成された取付部を用いて前記シャーシの上面に取り付けられてもよい。これにより、パネル支持部材をシャーシに対して着脱可能とすることができる。また、パネル支持部材が支える荷重や、パネル支持部材が備えるべき剛性に鑑み、シャーシと異なる材質を、パネル支持部材について適用することができる。
【０００９】
もっとも、パネルを適切に支持できる限りにおいて、前記パネル支持部材は、前記シャ
ーシと一体に成形されて前記空間に配置されてもよい。前記パネル支持部材を前記シャーシと一体とすることで、電子鍵盤楽器の部品点数及び組立工数を削減することができる。
【００１０】
また、本発明に係る電子鍵盤楽器において、前記黒鍵の回動軸が前記白鍵の回動軸よりも後方に位置するように前記複数の鍵が配列されてもよい。これによると、黒鍵と白鍵の回動軸の前後位置を同一とする場合よりも、白鍵と黒鍵の押鍵時におけるストローク及びタッチ重さを揃え易くすることができる。その結果、アコースティックピアノにより近い操作感を得ることができる。
【００１１】
また、本発明の第２の態様は、電子鍵盤楽器の構成要素である電子鍵盤装置である。即ち、本発明に係る電子鍵盤装置は、前端と後端とをそれぞれ備える、複数の白鍵と複数の黒鍵とを含んで配列した複数の鍵と、前記複数の鍵の下方に配置されると共に前記複数の鍵を回動可能に支持するシャーシと、前記シャーシの上面に形成され、前記複数の鍵の後端を覆うパネルを支持する少なくとも一つのパネル支持部材を配置する少なくとも一つの空間と、を含み、前記少なくとも一つの空間は、前記複数の黒鍵の後端が前記複数の白鍵の後端よりも後方に位置するように前記複数の鍵を配列することによって、隣り合う二つの黒鍵間に挟まれた白鍵の後端の後方に生じた空間であることを特徴とする。本発明の電子鍵盤装置によれば、シャーシの上面にパネル支持部材を配置する空間を有するため、シャーシの後方にパネル支持部材を配置することによって、電子鍵盤楽器の奥行きサイズが大きくなるのを回避することができる。
【図面の簡単な説明】
【００１２】
【図１】実施形態に係る電子鍵盤楽器の斜視図である。
【図２】実施形態に係る電子鍵盤楽器の平面図である。
【図３】実施形態に係る鍵盤装置の平面図である。
【図４】図３に示すＩＶ−ＩＶ断面線における電子鍵盤装置の断面図である。
【図５】図３に示すＶ−Ｖ断面線における電子鍵盤装置の断面図である。
【図６】図３に示すＶＩ−ＶＩ断面線における電子鍵盤装置の断面図である。
【図７】図２に示すＶＩＩ−ＶＩＩ断面線における電子鍵盤楽器の断面図である。
【図８】図８Ａは、パネル支持部材の上面図であり、図８Ｂは、パネル支持部材の側面図である。
【図９】実施形態に係る電子鍵盤楽器における白謙と黒鍵の位置関係を示す平面図である。
【図１０】図７に対応する図であって、比較例に係る電子鍵盤楽器を示す断面図である。
【図１１】図９に対応する図であって、比較例に係る電子鍵盤楽器における白謙と黒鍵の位置関係を示す平面図である。
【発明を実施するための形態】
【００１３】
以下、実施形態に係る電子鍵盤楽器１００について、図面を参照して説明する。図１は、実施形態に係る電子鍵盤楽器１００の斜視図である。図２は、実施形態に係る電子鍵盤楽器１００の平面図である。図３は、実施形態に係る電子鍵盤装置１の平面図である。図１、図２及び図３では、一部の構成を省略して図示している。図４は、図３に示すＩＶ−ＩＶ断面線における電子鍵盤装置１の断面図であり、図５は、図３に示すＶ−Ｖ断面線における電子鍵盤装置１の断面図であり、図６は、図３に示すＶＩ−ＶＩ断面線における電子鍵盤装置１の断面図である。図７は、図２に示すＶＩＩ−ＶＩＩ断面線における電子鍵盤楽器１００の断面図である。図７では、便宜上、手前（Ｒ側）の白鍵３Ｗが押鍵された状態を示している。また、図７中に示す符号９は電子鍵盤装置１が設置される筐体を示す。
【００１４】
＜構成＞
図１及び図２に示すように、電子鍵盤楽器１００には、白鍵３Ｗと黒鍵３Ｂとを含む複数の鍵３が配列している。以下の説明において、複数（本例では、８８）の鍵３の配列方向を幅方向（左右方向）と称し、鍵３の長手方向を奥行き方向（前後方向）と称す。図中の矢印Ｕ−Ｄ，Ｌ−Ｒ，Ｆ−Ｂは、電子鍵盤楽器１００の上下、左右、前後を、それぞれ示している。また、以下の説明において、鍵３について白鍵３Ｗと黒鍵３Ｂの何れかを区別せずに説明するときは、単に鍵３と記載する。また、説明の便宜のため、白鍵３Ｗを音名（Ｃ，Ｄ，Ｅ，・・・）に応じて個別に特定する場合には、符号（即ち「３Ｗ」）の最後に対応する音名（例えば「Ｃ」）を付して、白鍵３ＷＣのように記載する。
【００１５】
電子鍵盤楽器１００は、鍵３の操作に応じて図示しない電子回路から出力される信号で楽音を発生するものである。電子鍵盤楽器１００としては、例えば、電子ピアノ、電子オルガン、電子キーボード、シンセサイザなどが例示される。
【００１６】
図１及び図２に示すように、電子鍵盤楽器１００は、電子鍵盤装置１を備える。電子鍵盤装置１は、シャーシ２と、シャーシ２に回動自在に軸支される鍵３と、シャーシ２に収容されると共に鍵３の押鍵及び離鍵に連動して回動するハンマ４とを有する。また、電子鍵盤楽器１００は、更に、鍵３の上方に配置されるパネル５と、パネル５を支持するパネル支持部材６と、を備える。
【００１７】
シャーシ２は、鍵３の下方に配置されると共に鍵３を回動可能に支持するものであり、鋼板等や樹脂材料によって所定の幅単位のブロックで形成されている。図４に示すように、シャーシ２は、シャーシ本体２０と、シャーシ上壁２１ａ，２１ｂと、シャーシ底壁２２ａ,２２ｂ,２２ｃと、を有する。
【００１８】
シャーシ本体２０は、幅方向に対して直交する板形状を有しており、図２に示すように、鍵３の下方において隣り合う鍵３（隣り合うハンマ４）同士の間に設けられている。また、図４に示すように、シャーシ本体２０の奥行方向における中央部には、ハンマ４を軸支するためのハンマ回動軸２３が突設されている。
【００１９】
図４に示すシャーシ上壁２１ａは、隣り合うシャーシ本体２０の上縁同士を前端部付近で接続する。シャーシ上壁２１ａには、金属製の金物１０が固定されている。金物１０は、前側に延びる前フランジ１０１と後側に延びる後フランジ１０２を有しており、前フランジ１０１の前端には、前方ガイド１１が設けられている。前方ガイド１１は、鍵３毎に設けられており、上方に延びるように立設されている。また、前フランジ１０１の上面には、クッション材１２ａが貼り付けられており、後フランジ１０２の上下面には、クッション材１２ｂ、１２ｃが貼り付けられている。これらクッション材１２ａ,１２ｂ,１２ｃは、押鍵時及び離鍵時に緩衝材又は消音材として機能するものであり、フェルトや発泡ウレタンなどから構成されている。
【００２０】
図５に示すシャーシ上壁２１ｂは、隣り合うシャーシ本体２０の上縁同士を後端部付近で接続する。シャーシ上壁２１ｂには、鍵回動軸部２４が設けられている。鍵回動軸部２４は、鍵３毎に設けられており、各鍵３を軸支する。鍵回動軸部２４は、中心軸が幅方向と平行な円柱形状を有している。図５中の符号Ａ１，Ａ２は、白鍵３Ｗ及び黒鍵３Ｂの回動軸を示す。ここで、図５に示すように、実施形態に係る電子鍵盤楽器１００では、黒鍵３Ｂを軸支する鍵回動軸部２４Ｂの方が白鍵３Ｗを軸支する鍵回動軸部２４Ｗよりも奥行き方向において後方に配置されている。即ち、回動軸Ａ２の方が回動軸Ａ１よりも後方に配置されている。また、図４に示すように、シャーシ上壁２１ｂには、鍵３の幅方向のガタつきを抑制するための後方ガイド２５が設けられている。後方ガイド２５は、鍵３毎に設けられており、鍵回動軸部２４よりも前方の位置において上方に延びるように立設され
ている。また、図６に示すように、パネル支持部材６を取り付けるための取付部２６が設けられている。取付部２６の詳細については後述する。
【００２１】
図４に示すシャーシ底壁２２ａ,２２ｂ,２２ｃは、隣り合うシャーシ本体２０の下縁同士を、前端部付近、中央部付近、後端部付近でそれぞれ接続する。シャーシ底壁２２ａ,
２２ｂ,２２ｃの下面には、断面視コの字型に形成された金属製のベース部材７ａ,７ｂ,
７ｃが固定されている。シャーシ２は、これらベース部材７ａ,７ｂ,７ｃを介して電子鍵盤楽器１００の筐体９の底面９ａに固定される（図７参照）。
【００２２】
図３に示すように、白鍵３Ｗと黒鍵３Ｂとを含む複数の鍵３は、前端と後端とを有し、幅方向に並んでシャーシ上壁２１ａの上面に配設されている。鍵３は前端部分と後端部分とからなり、前端部分はパネル５より前方にあって演奏者が視認できる部分であり、後端部分は、パネル５より後方の部分である。なお、鍵３の基本構造、鍵３を回動可能に軸支（支持）する構造、及び、鍵３の押鍵又は離鍵に連動してハンマ４を回動させる構造は、白鍵３Ｗ及び黒鍵３Ｂの両者で実質的に同一である。そのため、以下、図４に示す白鍵３Ｗの構造を例として鍵３の構造について説明し、黒鍵３Ｂの構造についての説明は省略する。
【００２３】
鍵３は、樹脂材料で構成されている。鍵３は、下方が開放された断面略コ字状に形成されている。鍵３は、奥行方向に延びる上壁３２と、上壁３２の幅方向における両側縁から垂下する一対の側壁３３と、上壁３２の前縁から垂下する前壁３４とを有する。一対の側壁３３の間には、シャーシ２に設けられた前方ガイド１１が受け入れられる。また、鍵３の上壁３２には、シャーシ上壁２１ｂに形成された後方ガイド２５が受け入れられる貫通穴３２ａが貫通している。これにより、前方ガイド１１及び後方ガイド２５によって、鍵３が幅方向にがたつくことが抑制されている。
【００２４】
側壁３３の後端部付近には、軸受孔３５が形成されている。軸受孔３５には、シャーシ上壁２１ｂに形成された鍵回動軸部２４が挿通される。これにより、鍵３は、軸受孔３５を介して鍵回動軸部２４に軸支され、鍵回動軸部２４回りに回動可能となっている。また、側壁３３の前端部側の下縁には、側面視略Ｌ字状のストッパ部３７が形成されている。また、側壁３３の奥行き方向における軸受孔３５とストッパ部３７との間の下縁には、略尖形形状の係合突起３６が下方に向けて突設されている。鍵３が押鍵されると、鍵３の前端部及び係合突起３６が下がるようにして鍵３が鍵回動軸部２４回りに回動する。このとき、鍵３が押鍵されると、鍵３の側壁３３がクッション材１２ｂ、１２ｃに衝突し、鍵３が離鍵されると、鍵３のストッパ部３７がクッション材１２ａに衝突する。これにより、鍵３との衝撃が吸収される共に衝突した際の発生音が抑制されている。
【００２５】
ハンマ４は、鍵３の押鍵又は離鍵に連動して回動することによってアコースティックピアノと同様のタッチ重さを付与するためのものであり、各鍵３の下方において、隣り合うシャーシ本体２０同士の間に収容されている。ハンマ４は、樹脂材料内に金属部材をインサート成形することで形成される。図４に示すように、ハンマ４は、ハンマ本体４０と軸受４１と錘部４２と係合溝４３とスイッチ突起４４とを有する。
【００２６】
ハンマ本体４０は、軸受４１を挟んで奥行き方向の両側に延在した形状を有している。軸受４１は、断面視Ｃ型を有してハンマ本体４０に設けられており、シャーシ本体２０に突設されたハンマ回動軸２３に軸支される。軸受４１がハンマ回動軸２３に嵌め込まれることで、ハンマ４はハンマ回動軸２３を中心に回動可能となっている。錘部４２は、ハンマ本体４０の後端部に連設されると共に後方へ延在した形状を有している。係合溝４３は、前端部側の上面に形成されており、鍵３の押鍵時において鍵３に設けられた係合突起３６と係合する。ハンマ４は、鍵３の押鍵時において係合突起３６と係合溝４３とが係合す
ることで、ハンマ本体４０の前端部が下がるように回動する。これにより、鍵３の押鍵時においては錘部４２の重量に応じた所定のタッチ重さが付与され、離鍵時においては錘部４２の重量により鍵３が上方に持ち上げられる。ここで、鍵３の押鍵時においては、錘部４２が持ち上がることで、錘部４２がシャーシ本体２０よりも上方に突出する（図７参照）。
【００２７】
図４に示すように、シャーシ２の下方には、鍵３の押鍵情報を検出するためのスイッチ１３が、ハンマ本体４０の前端部側の下面に臨む姿勢で設けられている。ハンマ本体４０の前端部側の下面には、スイッチ突起４４がスイッチ１３に向けて突設されている。そのため、鍵３の押鍵に連動してハンマ４がハンマ回動軸２３を中心に回動すると、スイッチ突起４４によりスイッチ１３がＯＮされ、鍵３の離鍵に連動して、スイッチ１３がＯＦＦされる。これにより、鍵３の押鍵、離鍵などを検出することができる。
【００２８】
パネル５は、鍵３の上方に設けられると共に鍵３の後部を上方から覆う板状の部材である。パネル５は、シャーシ２を跨ぐように幅方向に延在して設けられている。図７に示すように、パネル５は、パネル本体５１と第１カバー部５２と第２カバー部５３とを有する。パネル本体５１は、演奏者に臨むように前方に向かって下がるように傾斜している。第１カバー部５２は、パネル本体５１の前縁から鍵３の上面付近まで垂下している。第２カバー部５３は、パネル本体５１の後縁から後方に向かって下がるように傾斜している。
【００２９】
図２に示すように、パネル本体５１の上面には、各種の状態を表示するための各種の表示装置や、演奏者による操作を受け付けてボリューム調整やモード変更などを行うための各種の操作子などが配設される。また、図７に示すように、パネル本体５１の裏面に設けられた基板８には、パネル本体５１に設けられた表示装置や操作子と接続される電子回路５ａが設けられている。第１カバー部５２及び第２カバー部５３により、パネル本体５１の裏面に設けられた基板８等が覆い隠されている。
【００３０】
図２に示すように、第２カバー部５３の後縁の幅方向における中途部には、一対のパネル側接続部５４,５４が、幅方向に所定の間隔を空けて設けられている。一対のパネル側
接続部５４,５４のそれぞれには、パネル支持部材６と接続するための貫通孔が形成され
ている。
【００３１】
図１に示すように、パネル５は、シャーシ２を挟む位置に設置されたパネル固定部材５０に固定されている。また、パネル５は、幅方向における中途部において、一対のパネル側接続部５４,５４に接続された一対のパネル支持部材６に支持されている。
【００３２】
上述のように、黒鍵３Ｂの回動軸Ａ２の方が白鍵３Ｗの回動軸Ａ１よりも奥行き方向において後方に配置されている。また、回動軸Ａ１から白鍵３Ｗの後端までの距離と回動軸Ａ２から黒鍵３Ｂの後端までの距離は、互いに等しい。そのため、図２及び図３に示すように、黒鍵３Ｂの後端の方が白鍵３Ｗの後端よりも前方に位置するように複数の鍵３が配列している。これにより、シャーシ上壁２１ｂの上面には、パネル支持部材６を配置するための空間である配置空間Ｓ１が形成されている。配置空間Ｓ１は、即ち、隣り合う二つの黒鍵３Ｂ，３Ｂ間に挟まれた白鍵３Ｗの後方に生じた空間である。図３中に、配置空間Ｓ１を斜めハッチングで示す。配置空間Ｓ１は、幅方向に沿って配列しており、幅方向に隣り合う配置空間Ｓ１は黒鍵３Ｂによって区画されている。配置空間Ｓ１は、二つの白鍵３ＷＢ，３ＷＣを挟む二つの黒鍵３Ｂ,３Ｂ間と、二つの白鍵３ＷＥ，３ＷＦを挟む二つ
の黒鍵３Ｂ,３Ｂ間において、他の配置空間Ｓ１と比較して幅が広く形成されている。こ
の、相対的に幅が広い配置空間Ｓ１を配置空間Ｓ１１と称し、その他の相対的に幅が狭い配置空間Ｓ１を配置空間Ｓ１２と称する。
【００３３】
図３に示すように、配置空間Ｓ１が形成されていることで、シャーシ上壁２１ｂの上面は、配置空間Ｓ１において鍵３に覆われていない状態となる。ここで、図３に示すように、シャーシ上壁２１ｂの上面には、各配置空間Ｓ１１内に配置するように取付部２６が形成されている。取付部２６は、パネル支持部材６を取り付け可能とする部位である。図６に示すように、取付部２６は、シャーシ上壁２１ｂの上面から上方に向かって突設されたボス２６ａとボス２６ａの上端面に形成されたネジ穴２６ｂとを有する。ネジ穴２６ｂは、パネル支持部材６を取付部２６に接続するためのネジを受け入れ可能であり、ボス２６ａの上端面から下向きに形成されている。
【００３４】
次に、パネル支持部材６について説明する。図８Ａは、パネル支持部材６の上面図であり、図８Ｂは、パネル支持部材６の側面図である。パネル支持部材６は、板金を折り曲げて形成されており、上面視略Ｌ字状に形成されている。パネル支持部材６は、図８Ａに示すように、幅方向に対して直交する姿勢で奥行き方向に延びる第１延在部６１と、奥行き方向に直交する姿勢で第１延在部６１の後縁から幅方向右側に延びる第２延在部６２とを有する。第１延在部６１の前端部付近の上縁には、パネル５のパネル側接続部５４に接続される第１接続部６３が延設されている。第１接続部６３には、パネル側接続部５４と接続されるための貫通孔が形成されている。第２延在部６２の下縁には、取付部２６に接続される一対の第２接続部６４,６４が幅方向に所定の間隔を空けて延設されている。第２
接続部６４は、第２延在部６２の下縁から前方に延びている。
【００３５】
このようなパネル支持部材６は、電子鍵盤装置１に設けられた複数の取付部２６のうちの何れか二つの取付部２６を利用して、シャーシ２に取り付けられる。より具体的には、第２接続部６４と取付部２６とをネジ（図示なし）を用いて接続することで、パネル支持部材６がシャーシ２に取り付けられる。そして、第１接続部６３とパネル側接続部５４とをネジ等の締結部材を用いて接続することで、パネル５がパネル支持部材６に支持される。なお、図７に示すように、第１延在部６１の下縁は、鍵３に干渉しないように湾曲に切り欠かれている。このようにして、パネル支持部材６によって、パネル５の幅方向における中途部が下方から支持される。これにより、パネル５の剛性が高められ、演奏者がパネル５上の操作子を操作したとき等の押圧によってパネル５が撓むことが抑制される。
【００３６】
図９は、実施形態に係る電子鍵盤楽器１００における白鍵３Ｗと黒鍵３Ｂの位置関係を示す平面図である。図９では、便宜上、鍵３を簡略化して図示している。また、図９中の符号Ｌ１，Ｌ２は、電子鍵盤楽器１００における白鍵３Ｗの回動軸Ａ１から白鍵３Ｗの前端までの長さ及び黒鍵３Ｂの回動軸Ａ２から黒鍵３Ｂの前端までの長さを示す。以下、Ｌ１及びＬ２を長尺とする場合における、電子鍵盤楽器１００の利点について説明する。
【００３７】
Ｌ１及びＬ２を長尺とする場合、鍵３の長尺化に伴ってシャーシ２（即ち電子鍵盤装置１）の奥行きサイズ（前後幅）も長尺となる。このとき、電子鍵盤楽器１００では、パネル支持部材６をシャーシ２の上面（上方）に取り付ける構成としているため、電子鍵盤装置１の後方にパネル支持部材６の設置スペースを必要としない。そのため、筐体内の限定されたスペースにおいて、パネル支持部材６の設置スペースに制約されることなくＬ１及びＬ２を長尺とすることが可能である。ここで、アコースティックピアノにおける白鍵及び黒鍵の回動軸から前端までの長さを、それぞれＬ３,Ｌ４とする。電子鍵盤楽器におい
ては、白鍵及び黒鍵の回動軸から前端までの長さをＬ３及びＬ４に近づけることで、アコースティックピアノに近い操作感を得られる傾向がある。電子鍵盤楽器１００では、パネル支持部材６の設置スペースに制約されることなくＬ１及びＬ２を長尺とし、Ｌ３,Ｌ４
にそれぞれ近づけることができる。その結果、アコースティックピアノに近い操作感を得ることができる。但し、Ｌ１及びＬ２の長さはこれに限定されない。
【００３８】
＜作用・効果＞
次に、比較例に係る電子鍵盤楽器２００との対比において、実施形態に係る電子鍵盤楽器１００が奏する作用及び効果について説明する。図１０は、図７に対応する図であって、比較例に係る電子鍵盤楽器２００を示す断面図である。また、図１１は、図９に対応する図であって、比較例に係る電子鍵盤楽器２００における白鍵３Ｗと黒鍵３Ｂの位置関係を示す平面図である。また、図１１中の符号Ｌ１Ａ，Ｌ２Ａは、電子鍵盤楽器２００における白鍵３Ｗの回動軸Ａ１から白鍵３Ｗの前端までの長さ及び黒鍵３Ｂの回動軸Ａ２から黒鍵３Ｂの前端までの長さを示す。図１０に示すように、比較例に係る電子鍵盤楽器２００は、電子鍵盤楽器１００と異なり、パネル支持部材２０６を筐体９の底面９ａであって電子鍵盤装置２０１（シャーシ２０２）の後方に取り付けている。また、図１１に示すように、電子鍵盤楽器２００は、電子鍵盤楽器１００と異なり、白鍵３Ｗと黒鍵３Ｂの後端及び回動軸の前後位置が一致している。
【００３９】
図１０に示すように、比較例に係る電子鍵盤楽器２００では、パネル支持部材２０６をシャーシ２０２の後方に配置しているため、シャーシ２０２（電子鍵盤装置２０１）の後方にパネル支持部材２０６を取り付けるためのスペースが必要となる。
【００４０】
これに対して、電子鍵盤楽器１００は、複数の黒鍵３Ｂの後端が複数の白鍵３Ｗの後端よりも後方に位置するように複数の鍵３を配列させることによって、隣り合う二つの黒鍵３Ｂ,３Ｂ間に挟まれた白鍵３Ｗの後端の後方に配置空間Ｓ１を生じさせている。そして
、電子鍵盤楽器１００は、パネル支持部材６をシャーシ２の上面に形成された配置空間Ｓ１に設けている。これによると、パネル５を支持するためのパネル支持部材６をシャーシ２の上面に設けることができる。即ち、電子鍵盤装置１の後方にパネル支持部材６を取り付けるためのスペースを必要としない。そのため、パネル支持部材２０６をシャーシ２０２の後方に配置する比較例に係る電子鍵盤楽器２００よりも、電子鍵盤楽器の奥行きサイズを小さくすることができる。奥行きサイズを小さくすることにより、電子鍵盤楽器を設置する部屋を少しでも広く見せたいユーザに訴求することができる。
【００４１】
また、比較例に係る電子鍵盤楽器２００では、パネル支持部材２０６をシャーシ２０２の後方に配置することから、パネル支持部材２０６をシャーシ２０２の後方から鍵３の上方まで延びる形状とする必要がある。より詳細には、パネル支持部材２０６の高さをシャーシ２０２よりも高くし、奥行きをシャーシ２０２の後端とパネル５との距離よりも長くする必要がある。これに対して、電子鍵盤楽器１００は、パネル支持部材６をシャーシ２の上面に配置することで、パネル支持部材６の高さ及び奥行きを比較例に係るパネル支持部材２０６よりも小さくすることができる。その結果、パネル支持部材の剛性を高めると共に材料コストを低減することができる。
【００４２】
また、配置空間Ｓ１は、隣り合う二つの黒鍵３Ｂ,３Ｂ間に挟まれた白鍵３Ｗの後端の
後方に生じた空間であることから、パネル支持部材６を配置するための空間として、少なくとも白鍵３Ｗ一つ分の幅を有する空間を確保することができる。また、電子鍵盤楽器１００は、パネル５を支持するパネル支持部材６をシャーシ２（電子鍵盤装置１）に設ける構成を採用しているため、パネル５がパネル支持部材６を介して電子鍵盤装置１に連結されている。そのため、パネル支持部材６を筐体９に取り付ける場合よりも、電子鍵盤装置１とパネル５の相対位置の精度を向上させることができるという利点もある。
【００４３】
なお、電子鍵盤楽器１００は、少なくとも一つの配置空間Ｓ１が形成されていればよい。但し、実施形態に係る電子鍵盤楽器１００では、複数（本例では２）の配置空間Ｓ１を利用してパネル支持部材６を設ける構成としている。そのため、パネル支持部材６をより強固にシャーシ２に設けることができる。更に、電子鍵盤楽器１００は、複数のパネル支持部材６によって、パネル５を支持する構成としている。これによると、単一のパネル支持部材６によってパネル５を支持する場合よりも確りとパネル５を支持することができる
。その結果、パネル５の剛性を更に高めることができる。但し、電子鍵盤楽器１００は、パネル支持部材６を少なくとも一つ備えればよい。
【００４４】
ここで、図９に示すＬ１とＬ２との差をδＬとし、図１１に示すＬ１ＡとＬ２Ａとの差をδＬＡとする。電子鍵盤楽器１００では、黒鍵３Ｂの回動軸Ａ２を白鍵３Ｗの回動軸Ａ１よりも後方に位置するように鍵３を配列しており、電子鍵盤楽器２００では、白鍵３Ｗの回動軸Ａ１と黒鍵３Ｂの回動軸Ａ２の前後位置を一致させている。そのため、δＬの方がδＬＡよりも小さくなっている。ここで、白鍵３Ｗの回動軸Ａ１から前端までの長さと黒鍵３Ｂの回動軸Ａ２から前端までの長さとの差が大きければ大きいほど、白鍵３Ｗと黒鍵３Ｂとで押鍵時のストローク及びタッチ重さが揃え難くなる傾向がある。電子鍵盤楽器１００によると、黒鍵３Ｂの回動軸Ａ２を白鍵３Ｗの回動軸Ａ１よりも後方に位置するように鍵３を配列することで、δＬ＜δＬＡとすることができる。これにより、白鍵３Ｗと黒鍵３Ｂの押鍵時におけるストローク及びタッチ重さを電子鍵盤楽器２００よりも揃え易くすることができる。その結果、アコースティックピアノにより近い操作感を得ることができる。
【００４５】
また、パネル支持部材６は、配置空間Ｓ１に形成された取付部２６を用いてシャーシ２の上面に取り付けられている。これにより、パネル支持部材６をシャーシ２に対して着脱可能とすることができる。また、パネル支持部材６とシャーシ２とを別部材とすることで、パネル支持部材６が支える荷重や、パネル支持部材６が備えるべき剛性に鑑み、シャーシ２と異なる材質を、パネル支持部材６について適用することができる。取付部２６は、パネル支持部材６を取付部２６に接続するためのネジを受け入れるネジ穴２６ｂを有している。これによると、簡単な構成でパネル支持部材６を取り付けることができる。なお、パネル支持部材６は、複数設けられた取付部２６のうち、一つの取付部２６のみを利用して取り付けてもよい。その場合、例えば、取付部２６に複数のボス２６ａ及びネジ穴２６ｂを設ける構成としてもよい。
【００４６】
もっとも、パネル５を適切に支持できる限りにおいて、パネル支持部材６は、シャーシ２と一体に成形されて配置空間Ｓ１に設けられてもよい。パネル支持部材６をシャーシ２と一体とすることで、電子鍵盤楽器１００の部品点数及び組立工数を削減することができる。
【００４７】
また、電子鍵盤楽器１００は、二つの白鍵３Ｗを挟む二つの黒鍵３Ｂ,３Ｂ間に形成さ
れた配置空間Ｓ１１にパネル支持部材６を設けている。これによると、パネル支持部材６を配置するための空間として、白鍵３Ｗの二つ分の幅を有する空間を確保することができる。その結果、一つの白鍵３Ｗを挟んで隣り合う二つ黒鍵３Ｂ,３Ｂ間に形成された配置
空間Ｓ１２にパネル支持部材６を設ける場合よりも、幅の広い空間にパネル支持部材６を設けることができる。
【００４８】
なお、取付部２６に対するパネル支持部材６の接続手段としては、ネジやネジ穴等の締結部材に限定されず、種々の手段を採用することができる。例えば、取付部２６をシャーシ上壁２１ｂに形成されたスリットとし、パネル支持部材６の第２接続部６４を当該スリットに差込可能な差込片とし、差込片をスリットに差し込むことで取付部２６にパネル支持部材６を接続してもよい。
【００４９】
上記実施形態で説明した構成は、目的を逸脱しない範囲内で種々の変形改良が可能であることは容易に推察できるものである。上記実施形態では、電子鍵盤楽器１００の鍵３の数量が８８である場合を説明したが、鍵３の数量はこれに限定されず、鍵３の数量を８９以上又は８７以下としてもよい。
【符号の説明】
【００５０】
１      電子鍵盤装置
２      シャーシ
２６    取付部
３      鍵
４      ハンマ
５      パネル
６      パネル支持部材
１００  電子鍵盤楽器
Ｓ１    配置空間
【図１】
2020060604.tif 000003
【図２】
2020060604.tif 000004
【図３】
2020060604.tif 000005
【図４】
2020060604.tif 000006
【図５】
2020060604.tif 000007
【図６】
2020060604.tif 000008
【図７】
2020060604.tif 000009
【図８】
2020060604.tif 000010
【図９】
2020060604.tif 000011
【図１０】
2020060604.tif 000012
【図１１】
2020060604.tif 000013